(57)【特許請求の範囲】
【請求項１】
同じ構造のもの同士が複数隣接して結合し集合型コンピュータを構成するための結合型コンピュータであり、多面形状の複数のケーシング毎に、ＣＰＵやメモリＩＣ及び入出力インターフェースなどのコンピュータ構成要素を内蔵し、該各多面形状のケーシングの各面ごとにそれぞれコードレス型の入出力用信号伝達素子を配設し、該各多面形状のケーシング毎に信号選択及びバイパス機能を有する多重スイッチルータを内蔵し、前記ケーシングの各面ごとに設けられた前記入出力用信号伝達素子を該ケーシング内の前記入出力インターフェースに接続し、前記ケーシングの各面に設けられた前記入出力用信号伝達素子と、これに隣接する他のケーシングの各面に設けられた入出力用信号伝達素子を通じて他のコンピュータの入出力用信号伝達素子との間で双方向のデータ伝送を行うことができるようにし、前記ケーシングの各面に設けられた複数の入出力用信号伝達素子を前記多重スイッチルータを介して該ケーシング内の前記入出力インターフェースに接続し、前記入出力用信号伝達素子による他のコンピュータからの信号の取り込み、吐き出しを信号選択及びバイパス機能を有する前記多重スイッチルータを通じて行うようにし、前記多重スイッチルータにより前記ケーシングの各面に配設されたコードレス型の複数の入出力用信号伝達素子間にバイパスを形成できるようにしたことを特徴とする結合型コンピュータ。
【請求項２】
前記ケーシングの外形を立方体とし、前記ケーシングの六面の各々の中央に前記信号伝達素子を配置したことを特徴とする請求項１に記載の結合型コンピュータ。
【請求項３】
前記ケーシングに先端が外部に突出する電力供給端子棒を設け、この電力供給端子棒を通じて電源が供給されるようにしたことを特徴とする請求項１又は請求項２に記載の結合型コンピュータ。
【請求項４】
前記ケーシングに他のケーシングと接着するための磁石を設けたことを特徴とする請求項１又は請求項２又は請求項３に記載の結合型コンピュータ。
【発明の詳細な説明】
【０００１】
【発明の属する技術分野】
本発明は多数の接続されたコンピュータから成る集合型コンピュータを構成するための結合型コンピュータに関する。
【０００２】
【従来の技術】
多数のコンピュータをクラスタ接続して集合型超コンピュータを構成し、これをＡＳＰ（Ａｐｐｌｉｃａｔｉｏｎ  Ｓｅｒｖｉｃｅ  Ｐｒｏｖｉｄｅｒ）のデータセンターを構成するサーバーとして使用したり、あるいは、大型の科学計算を行うスーパーコンピュータとして使用することが従来行われている。各コンピュータ間の接続はコードによるものが一般的である。
【０００３】
【発明が解決しようとする課題】
多数のコンピュータをクラスタ接続して集合型超コンピュータを構成するような場合、コンピュータ全体の集合体積が大きくなってしまい極めて不便である。また、各コンピュータを接続するコードが膨大な量となって全体の収納スペースが大きくなってしまうという問題点があった。また、各コンピュータの結合作業が極めて煩わしくしかも時間がかかるという問題点があった。
本発明は上記問題点を解決することを目的とするものである。
【０００４】
【課題を解決するための手段】
上記目的を達成するため本発明は、同じ構造のもの同士が複数隣接して結合し集合型コンピュータを構成するための結合型コンピュータであり、ＣＰＵやメモリＩＣ及び入出力インターフェースなどのコンピュータ構成要素を内蔵した多面形状のケーシングにコードレス型の信号伝達素子を配設し、該信号伝達素子を前記入出力インターフェースに接続し、前記信号伝達素子を通じて他のコンピュータの信号伝達素子との間で双方向のデータ伝送を行うことができるようにし、前記信号伝達素子による他のコンピュータからの信号の取り込み、吐き出しを信号選択及びバイパス機能を有する多重スイッチルータを通じて行うようにしたものである。
また本発明は、前記ケーシングの外形を立方体とし、前記ケーシングの六面の各々の中央に前記信号伝達素子を配置したものである。
また本発明は、前記ケーシングに先端が外部に突出する電力供給端子棒を設け、この電力供給端子棒を通じて電源が供給されるようにしたものである。
また本発明は、前記ケーシングに他のケーシングと接着するための磁石を設けたものである。
【０００５】
【発明の実施の形態】
以下に本発明の実施の形態を添付した図面を参照して詳細に説明する。
図２において、２は密閉した立方体型の結合型コンピュータであり、立方体の外観形状を有し、アルミニウム製或は銅などの熱伝導性の良い金属から成るケーシング４に、図５に示す如く、ＣＰＵ６、スイッチレギュレータＩＣ８、メモリＩＣ１０、フラッシュメモリ１２、入出力インターフェース１４が図示の如く結線されて内蔵されている。
【０００６】
前記ケーシング４の各面版２０の表面には鱗状の放熱フィン２０ａが形成され、その内側の中央には、対極型電磁結合トランスから成るコードレス型の信号伝達素子２２，２４が対向配置され、一対のトランスは互いに９０度の角度を有して交差して配置されており、鉄心の両端に形成された磁極面がケーシング４の対応する面板２０の内面に僅かな隙間を存して対向している。
【０００７】
ケーシング４の各面に配置された前記信号伝達素子２２，２４は、多重スイッチルータ１６を介して入出力インターフェース１８に接続している。前記多重スイッチルータ１６は、周波数或はコード信号を弁別してデータの選択的取り込み、吐き出し及びバイパス処理を行うように構成されている。前記ケーシング４の各面板２０の四隅には、それぞれ四本の端子棒２８，３０，３２，３４がケーシング４の面板２０から若干突出して、正方形の各角に位置して弾発配置されている。
【０００８】
四本の端子棒２８，３０，３２，３４のうち、対角線上の２本の端子棒は、グランド端子棒３２，３４を構成し、他の対角線上の２本は、電力供給端子棒２８，３０を構成している。前記各端子棒２８，３０，３２，３４は、図４に示すように、ケーシング４に固設された筒体３６の中に先端部を突出させてスライド自在に配置され、ばね３８により突出方向に弾発されている。
【０００９】
前記４本の端子棒２８，３０，３２，３４が配置された正方形のスペースの中間には鉄片４０が配置され、該鉄片４０に永久磁石が固着されている。前記鉄片４０の先端は、ケーシング４の面板２０表面と略同一平面上に配置され、該鉄片４０及び永久磁石４２は、ケーシング４に固定されている。前記ケーシング４の各面には、ケーシング４を他のケーシング４に重ねたとき、互いの隣接面が丁度一致するように、公知の機構から成る位置決め機構（図示省略）が設けられている。
【００１０】
上記した構成において、複数の同じ構造のコンピュータ２同士を図１に示すように、互いに隣接すると、コンピュータ２どうしが鉄片４０の磁力によって物理的に結合し、全体として立体形状を構成するとともに、コンピュータ２の各面の信号伝達素子２２，２４が、隣接する他のコンピュータ２の信号伝達素子２２，２４と対向し、隣接するコンピュータ２は互いに電磁結合する。
【００１１】
複数のコンピュータ２の面と面が隣接すると、電力供給端子棒２８，３０同しが接触するとともにグランド端子棒３２，３４どうしが接触し、このグランド端子棒３２，３４を通じて、隣接するコンピュータ２の内部回路がグランドされるとともに、電力供給端子棒２８，３０を通じて、隣接する各コンピュータ２に電力が供給される。
【００１２】
各コンピュータ２の駆動時の発熱は、ケーシング４の面板２０に形成されたフィン２０ａを通じて放熱される。各コンピュータ２は、限界温度が設定され、各コンピュータ２の温度がこの限界温度を越えると各コンピュータ２に内蔵されたセンサにより検出され、ＣＰＵ６により所要のオーバーヒート防止動作が行なわれる。
【００１３】
隣接するコンピュータ２のケーシング４の隣接面には、水、空気、油などの流体が適度の速さで流れ、該流体により、各コンピュータ２が冷却される。また、各コンピュータ２の温度上昇がはなはだしい場合は、各コンピュータ２は、内蔵した温度ヒューズによって永久停止させられる。
【００１４】
コンピュータ２の六面体を、隣接するコンピュータ２と電磁結合させたとき、多重スイッチルータ１６が、データの導通と遮断のいずれかを行う開閉ゲートとして作動し、周波数、時間、符号を使ってデータ伝送経路の選択をおこなう。
【００１５】
図５において、ケーシング４の六面にそれぞれ配置された信号伝達素子２２，２４から成る入出力ポートをＡ，Ｂ，Ｃ，Ｄ，Ｅ，Ｆとすると、多重スイッチルータ１６の各ポートＡ，Ｂ，Ｃ，Ｄ，Ｅ，Ｆごとの周波数帯域を所要の値に設定することで、任意のポート例えばＡ，Ｂ，Ｃ，Ｄを開き、任意のポート例えばＥ，Ｆを閉じることができる。閉じられたポートＥ，Ｆからは設定された周波数帯域に対応するデータの取り込み、吐き出しが阻止される。
【００１６】
また、多重スイッチルータ１６により、任意のポート間に側路即ちバイパスを形成することができる。多重スイッチルータ１６に所要のバイパス設定制御信号が入力されると、例えばポートＡ，Ｆ間にバイパスが形成され、ポートＡに転送されたデータは、入出力インターフェース１４に取り込まれることなく、バイパスを通じて、ポートＦに伝送される。このようにして、信号伝送経路の選択を各コンピュータ２が自ら行うことができ、特別の信号伝送経路制御装置を用意する必要がない。
【００１７】
上記実施形態では、コードレス型の信号伝達素子２２，２４に電磁トランスを用いたが、コンピュータ２同士を隣接したとき、隣接面での信号の伝送路の結合は電磁結合に特に限定されるものではなく、信号伝達素子としてアンテナを用い、アンテナによる電磁波結合としても良い。また、信号伝達素子として、導体を用い、コンピュータ２同士を隣接したとき、隣接面の導体同士が互いに接触して電子結合するようにしても良い。その他、信号伝達素子として、電界結合素子、光結合素子等を用いることができる。
【００１８】
【発明の効果】
本発明は上述の如く構成したので、多数のコンピュータをコンパクトなスペースに高密度で結合配置することができ、しかも、コードレス化を実現できる等の効果が存する。
【図面の簡単な説明】
【図１】集合型コンピュータの説明的外観図である。
【図２】結合型コンピュータの説明的外観図である。
【図３】Ａ−Ａ線断面図である。
【図４】電源供給端子棒の説明図である。
【図５】結合型コンピュータの機能ブロック説明図である。
【符号の説明】
２      結合型コンピュータ
４      ケーシング
６      ＣＰＵ
８      レギュレータＩＣ
１０    メモリ
１２    フラッシュメモリ
１４    入出力インターフェース
１６    多重スイッチルータ
２０    面板
２０ａ  放熱フィン
２２    信号伝達素子
２４    信号伝達素子
２８    端子棒
３０    端子棒
３２    端子棒
３４    端子棒
３６    筒体
３８    ばね
４０    鉄片
４２    永久磁石
【図１】
0005041499.tif 000002
【図２】
0005041499.tif 000003
【図３】
0005041499.tif 000004
【図４】
0005041499.tif 000005
【図５】
0005041499.tif 000006